(57)【要約】      （修正有）【課題】使用がよりスムーズになるラチェットレンチの制動歯構造を提供する。【解決手段】レンチ本体とラチェット、複数のラチェットブロック、複数の弾性素子、一Ｃ形係止部品及び固定リング蓋から構成され、レンチ本体上に貫通する収納槽があり、該収納槽の底部に内へ突出する支持部が設けられ、外周に等間隔に複数の少しずつ大きくなる円弧状の制動槽が設けられ、その最小の斜面が係止面になり、各制動槽の係止面の方向が同一方向に設置され、制動槽のもう一方に固定槽が設けられ、また、収納槽の上部に外へ向かって切られた限位部が形成され、ラチェットの内部に、貫通する工具結合部を係止するための工具槽が、外周にラチェット歯が形成され、両端の外周に係止リング槽が形成され、ラチェットブロックの外側が制動槽の係止面に合わせる係止面が設置され、内側にラチェット歯が設けられ、ラチェットブロックの係止面の反対端に固定槽がある。【選択図】図４
0003139090.tif 000002
【実用新案登録請求の範囲】
【請求項１】
レンチ本体とラチェット、複数のラチェットブロック、複数の弾性素子、一Ｃ形係止部品及び固定リング蓋から構成され、
レンチ本体上に、貫通する収納槽があり、該収納槽の底部に、内へ突出する支持部が設けられ、外周に等間隔に複数の少しずつ大きくなる円弧状の制動槽が設けられ、その最小の斜面が係止面になり、各制動槽の係止面の方向が同一方向に設置され、制動槽のもう一方に固定槽が設けられ、また、収納槽の上部に、外へ向かって切られた限位部が形成され、ラチェットの内部に、貫通する工具結合部を係止するための工具槽が形成され、外周にラチェット歯が形成され、両端の外周に係止リング槽が形成され、ラチェットブロックの外側が、制動槽の係止面に合わせる係止面が設置され、内側にラチェット歯が設けられ、また、ラチェットブロックの係止面の反対端に固定槽があることを特徴とする、ラチェットレンチの制動歯構造。
【請求項２】
固定リング蓋とレンチ本体とがＣ形係止部品を利用し、該レンチ本体の限位部に、係止槽を設け、固定リング蓋の外周に係止槽を設置し、Ｃ形係止部品を、固定リング蓋とレンチ本体の係止槽の間に係止することにより、結合されることを特徴とする、請求項１に記載のラチェットレンチの制動歯構造。
【考案の詳細な説明】
【技術分野】
【０００１】
本考案は、快速的で便利的、且つ、省力的にボルトを締めることや弛めることができるラチェットレンチの制動歯構造に関し、特に、制動素子の構造が改良され、制動力がより安定になるものに関する。
【背景技術】
【０００２】
既存のラチェットレンチ構造は、図６と７のように、レンチ本体１０に収納槽室１０１が設置され、該収納槽室１０１の周縁にラチェット歯１０２が設置され、また、収納槽室１０１内に制動リング１１が設置され、制動リング１１内に工具結合部が嵌合するための工具槽１１１が設置され、外周縁に等間隔に複数の構造槽１１２が設置され、また、リング状定位槽１１３が設けられ、構造槽１１２に係合ブロック１２が収納され、リング状定位槽１１３に弾性リング１３が設けられ、係合ブロック１２の内側の一側に円弧状の突起部１２１が設けられ、外部に横方向に圧制槽１２２が設けられる。
【０００３】
使用する場合、各係合ブロック１２の設置方向が時計回りに一致するように、係合ブロック１２を構造槽１１２に設置し、その後、弾性リング１３を制動リング１１のリング状定位槽１１３に嵌設しながら、係合ブロック１２の圧制槽１２２に嵌設し、これにより、係合ブロック１２が下へ押えられ、構造槽１１２に定位され、また、係合ブロック１２は、下へ押す力のため、突起部１２１により、係合ブロック１２のもう一端が傾斜になり、該傾斜により構造槽１１２から突出し、該傾斜により一方向に回転される時、係合ブロック１２がレンチ本体１０のラチェット歯１０２と係合し、連動されて回転され、また、逆方向に回転する時、ラチェット歯１０２が係合ブロック１２を下へ押え、アイドルギアになり、これにより、制動リング１１の中央に貫通して設けられた工具槽１１１に嵌合された工具結合部も回転され、また、工具槽１１１の両方向とも工具結合部が係合できるため、両方向の係止を選択することにより、締めるや弛めることができる。
【０００４】
しかしながら、上記の係止やアイドルギアの原理は、弾性リング１３が下へ押えられることにより係合ブロック１２が定位され、また、該下へ押えられる力で、突起部１２１により、係合ブロック１２のもう一端が傾斜になることであり、全ての弾性が同一の弾性リング１３により生成されるため、各係合ブロック１２により生成された圧力が何れかの一つの係合ブロック１２に傾き、各係合ブロック１２がバランスを失い、回転出力が均等にならず、回転がスムーズにならなくて、使用便利性が悪くなる。
【考案の開示】
【考案が解決しようとする課題】
【０００５】
本考案の目的は、ラチェットの制動が、ラチェットが収納される収納槽の周縁に等間隔に制動槽が設けられ、また、ラチェットブロックと弾性素子が収納されることにより行われるため、均等的に３点以上の力点により、ラチェットの作動がスムーズになり、より実用的になるラチェットレンチの制動歯構造を提供する。
【課題を解決するための手段】
【０００６】
請求項１の考案は、レンチ本体とラチェット、複数のラチェットブロック、複数の弾性素子、一Ｃ形係止部品及び固定リング蓋から構成され、レンチ本体上に貫通する収納槽があり、該収納槽の底部に内へ突出する支持部が設けられ、外周に等間隔に複数の少しずつ大きくなる円弧状の制動槽が設けられ、その最小の斜面が係止面になり、各制動槽の係止面の方向が同一方向に設置され、制動槽のもう一方に固定槽が設けられ、また、収納槽の上部に外へ向かって切られた限位部が形成され、ラチェットの内部に、貫通する工具結合部を係止するための工具槽が形成され、外周にラチェット歯が形成され、両端の外周に係止リング槽が形成され、ラチェットブロックの外側に制動槽の係止面に合わせる係止面が設置され、内側にラチェット歯が設けられ、また、ラチェットブロックの係止面の反対端に固定槽があることを特徴とする、ラチェットレンチの制動歯構造である。
【０００７】
請求項２の考案は、固定リング蓋とレンチ本体とがＣ形係止部品を利用し、該レンチ本体の限位部に係止槽を設け、固定リング蓋の外周に係止槽を設置し、Ｃ形係止部品を固定リング蓋とレンチ本体の係止槽の間に係止することにより、結合されることを特徴とする、請求項１に記載のラチェットレンチの制動歯構造である。
【考案を実施するための最良の形態】
【０００８】
図１と２を参照しながら、レンチ本体２０とラチェット３０、複数のラチェットブロック４０、複数の弾性素子５０、Ｃ形係止部品６０及び固定リング蓋７０から構成され、レンチ本体２０は貫通する収納槽２１があり、該収納槽２１の底部に内へ突出する支持部２２が設けられ、外周に等間隔に複数の少しずつ大きくなる円弧状の制動槽２３が設けられ、その最小の斜面が係止面２４になり、各制動槽２３の係止面２４の方向が同一方向に設置され、制動槽２３のもう一方に固定槽２３１が設けられ、また、収納槽２１の上部に外へ向かって切られた限位部２５が形成され、該限位部２５に係止槽２６が形成され、ラチェット３０は内部に貫通する工具結合部を係止するための工具槽３１が形成され、外周にラチェット歯３２が形成され、両端の外周に係止リング槽３３が形成され、ラチェットブロック４０が一部の円弧形状で約三角形になり、その外側に制動槽２３の係止面２４に合わせて係止面４１が設置され、内側にラチェット歯４２が設けられ、また、ラチェットブロック４０の係止面４１の反対端に固定槽４３があり、固定リング蓋７０の外周縁に係止槽７１が設けられる。
【０００９】
組み立てる時、図３と４を参照しながら、ラチェット３０をレンチ本体２０の収納槽２１に設置し、また、下方の係止リング槽３３と支持部２２を利用して、円周になるように定位されて下方から支持し、また、ラチェットブロック４０と弾性素子５０とを合わせて、レンチ本体２０の制動槽２３に収納され、弾性素子５０により、ラチェットブロック４０の係止面４１が制動槽２３の係止面２４に向かって付勢され、そして、ラチェットブロック４０のラチェット歯４２がラチェット３０のラチェット歯３２に向かって付勢され、該弾性素子５０の両端が、それぞれ固定槽２３１、４３に収納されて定位され、固定リング蓋７０がレンチ本体２０の収納槽２１の上部の限位部２５に嵌設され、また、Ｃ形係止部品６０により、両者の係止槽２６、７１の間に固定され、これにより固定リング蓋７０が固定され、また、固定リング蓋７０の内中空リングとラチェット３０の上方の係止リング槽３３とにより、円周になるように定位されて上方から支持し、これにより、ラチェット３０がレンチ本体２０の収納槽２１に挟まれ、回転することができるが、脱落する恐れがない。
【００１０】
使用する場合、図４と５を参照しながら、レンチ本体２０の収納槽２１にラチェット３０が収納された後、ラチェット３０の工具槽３１に工具結合部が係止される場合、回転すると、工具槽３１の両方に工具結合部を係止することができ、異なる方向に異なる作動回転ができ、そのため、締めることや弛めることができ、図のように、ラチェット３０の回転方向が正である場合、ラチェットブロック４０が押される方向と同じ方向に回転するため、ラチェットブロック４０は、係止面４１とラチェット歯４２により、同時にレンチ本体２０の係止面２４とラチェット３０の回りのラチェット歯３２に係止するため、ラチェット３０とレンチ本体２０とが一緒に回転するようになり、逆に、ラチェット３０の回転方向が逆方向である場合、ラチェット３０の回りのラチェット歯３２により、ラチェットブロック４０が弾性素子５０へ向かって押され、ラチェットブロック４０の係止面４１がレンチ本体２０の係止面２４から脱離し、ラチェット３０とレンチ本体２０と間において、係止力が解除され、そのためラチェット３０に所定の力を受けるとアイドルギアになり、ラチェット３０とラチェットブロック４０との間において、ラチェット歯３２、４２とが付勢摩擦になる。
【００１１】
上記の具体的な実施例によれば、ラチェット３０の制動は、ラチェット３０に収納された収納槽２１の周縁に等間隔に制動槽２３が設けられ、また、ラチェットブロック４０と弾性素子５０が収納されることにより、均等的に３点以上の力点により、ラチェット３０の作動がスムーズになり、より実用的になり、また、より優れた構造強度が得られる。
【図面の簡単な説明】
【００１２】
【図１】本考案の立体組立て図
【図２】本考案の立体分解図
【図３】本考案の組立て側面断面図
【図４】本考案の組立て平面構造図と回転状態の概念図
【図５】本考案の逆方向の時のアイドルギア状態の概念図
【図６】従来の立体分解図
【図７】従来の組立て平面構造図
【符号の説明】
【００１３】
（従来）
１０      レンチ本体
１０１    収納槽室
１０２    ラチェット歯
１１      制動リング
１１１    工具槽
１１２    構造槽
１１３    リング状定位槽
１２      係合ブロック
１２１    突起部
１２２    圧制槽
１３      弾性リング
（本考案）
２０      レンチ本体
２１      収納槽
２２      支持部
２３      制動槽
２３１    固定槽
２４      係止面
２５      限位部
２６      係止槽
３０      ラチェット
３１      工具槽
３２      ラチェット歯
３３      係止リング槽
４０      ラチェットブロック
４１      係止面
４２      ラチェット歯
４３      固定槽
５０      弾性素子
６０      Ｃ形係止部品
７０      固定リング蓋
７１      係止槽
【図１】
0003139090.tif 000003
【図２】
0003139090.tif 000004
【図３】
0003139090.tif 000005
【図４】
0003139090.tif 000006
【図５】
0003139090.tif 000007
【図６】
0003139090.tif 000008
【図７】
0003139090.tif 000009